(57)【要約】【課題】確実に照明装置の点灯状態の切替を制御することが可能な照明制御装置等を提供する。【解決手段】照明制御装置２０の制御部２３は、端末装置４からオン信号を受け付けると、照明装置１０に電力を供給する電源とを接続する電源線上に設けられた制御側切替部２１を、閉状態にした後、予め定められた瞬断時間が経過するまで開状態にし、その後閉状態にする。照明装置１０の瞬断検出部１３は、制御側切替部２１の開閉により、照明装置１０に供給される電力の瞬断を検出し、開閉状態を切り替える。【選択図】図１
2015225805.tif 000002
【特許請求の範囲】
【請求項１】
供給される電力の瞬断を検出した場合、又は、第１端末装置から切替信号を受信した場合に、開閉状態を切り替える照明側切替部を備える照明装置を制御する照明制御装置であって、
前記照明装置と、前記照明装置に電力を供給する電源とを接続する電源線上に設けられ、前記照明装置への電源供給の接点の開閉を切り替える制御側切替部と、
第２端末装置との間で通信を行う通信部と、
前記通信部が前記第２端末装置からオン信号を受け付けると、前記制御側切替部を、閉状態にした後、予め定められた瞬断時間が経過するまで開状態にし、その後閉状態にする制御部と、
を備えることを特徴とする照明制御装置。
【請求項２】
前記制御側切替部に流れる電流値を取得する電流センサ部をさらに備え、
前記制御部は、前記通信部が前記第２端末装置からオン信号を受け付けると、前記制御側切替部を、閉状態にした後、前記電流センサ部により取得された電流値が閾値以上である場合、閉状態を継続し、前記電流値が前記閾値未満である場合、前記瞬断時間が経過するまでに開状態にし、その後閉状態にする、
ことを特徴とする請求項１に記載の照明制御装置。
【請求項３】
前記制御部は、前記通信部が前記第２端末装置からオン信号を受け付けると、前記制御側切替部を、閉状態にした後、前記電流センサ部により取得された電流値が前記閾値以上である場合、前記第２端末装置に前記照明装置をオンした旨の通知を前記通信部により送信し、前記電流センサ部により取得された電流値が前記閾値未満である場合、前記第２端末装置に前記照明装置をオンしなかった旨の通知を前記通信部により送信する、
ことを特徴とする請求項２に記載の照明制御装置。
【請求項４】
前記照明装置のオン及びオフの状態を表示する第１表示部をさらに備え、
前記制御部は、前記通信部が前記第２端末装置からオン信号を受け付けると、前記制御側切替部を、閉状態にした後、前記電流センサ部により取得された電流値が前記閾値以上である場合、前記第１表示部にオンの状態を表示させ、前記電流センサ部により取得された電流値が前記閾値未満である場合、前記第１表示部にオフの状態を表示させる、
ことを特徴とする請求項２または３に記載の照明制御装置。
【請求項５】
前記照明側切替部の開閉状態を表示する第２表示部をさらに備え、
前記制御部は、前記通信部が前記第２端末装置から状態要求信号を受け付けると、前記制御側切替部を、閉状態にした後、前記電流センサ部により取得された電流値が前記閾値以上である場合、前記第２表示部に閉状態を表示させ、前記電流センサ部により取得された電流値が前記閾値未満である場合、前記第２表示部に開状態を表示させる、
ことを特徴とする請求項２乃至４のいずれか１項に記載の照明制御装置。
【請求項６】
前記制御部は、前記通信部が前記第２端末装置から状態要求信号を受け付けると、前記制御側切替部を、閉状態にした後、前記電流センサ部により取得された電流値が前記閾値以上である場合、前記第２端末装置に前記照明側切替部が閉状態である旨の通知を前記通信部により送信し、前記電流センサ部により取得された電流値が前記閾値未満である場合、前記第２端末装置に前記照明側切替部が開状態である旨の通知を前記通信部により送信する、
ことを特徴とする請求項２乃至５のいずれか１項に記載の照明制御装置。
【請求項７】
前記制御部は、前記通信部が前記第２端末装置からオフ信号を受け付けると、前記制御側切替部を、前記瞬断時間が経過するまで開状態にし、その後閉状態にした後、前記電流センサ部から電流値を取得し、前記取得した電流値が前記閾値未満になるまで、前記瞬断時間が経過するまで開状態にし、その後閉状態にする処理を繰り返す、
ことを特徴とする請求項２乃至６のいずれか１項に記載の照明制御装置。
【請求項８】
前記制御部は、前記通信部が前記第２端末装置からオン信号を受け付けると、前記制御側切替部を、閉状態にした後、前記瞬断時間が経過するまで開状態にし、その後閉状態にした後、前記電流センサ部から電流値を取得し、前記取得した電流値が前記閾値以上になるまで、前記瞬断時間が経過するまで開状態にし、その後閉状態にする処理を繰り返し、前記取得した電流値が前記閾値以上になった時の閾値及び瞬断時間のうち少なくとも一方を記録する、
ことを特徴とする請求項２乃至７のいずれか１項に記載の照明制御装置。
【請求項９】
照明装置と、該照明装置を制御する照明制御装置と、から構成される照明制御システムであって、
前記照明装置は、
前記照明装置に供給される電力の瞬断を検出する瞬断検出部と、
前記瞬断検出部により電力の瞬断が検出された場合、または、第１端末装置から切替信号を受信した場合に、開閉状態を切り替える照明側切替部と、
を備え、
前記照明制御装置は、
前記照明装置と、前記照明装置に電力を供給する電源とを接続する電源線上に設けられ、前記照明装置への電源供給の接点の開閉を切り替える制御側切替部と、
第２端末装置との間で通信を行う通信部と、
前記通信部が前記第２端末装置からオン信号を受け付けると、前記制御側切替部を、閉状態にした後、予め定められた瞬断時間が経過するまで開状態にし、その後閉状態にする制御部と、
を備えることを特徴とする照明制御システム。
【請求項１０】
供給される電力の瞬断を検出した場合、又は、第１端末装置から切替信号を受信した場合に、開閉状態を切り替える照明側切替部を備える照明装置を、前記照明装置と、前記照明装置に電力を供給する電源とを接続する電源線上に設けられ、前記照明装置への電源供給の接点の開閉を切り替える制御側切替部を備える照明制御装置を用いて制御する照明制御方法であって、
第２端末装置からオン信号を受け付けると、前記制御側切替部を、閉状態にした後、予め定められた瞬断時間が経過するまで開状態にし、その後閉状態にする制御ステップ、
を有することを特徴とする照明制御方法。
【発明の詳細な説明】
【技術分野】
【０００１】
本発明は、照明制御装置、照明制御システム、及び照明制御方法に関する。
【背景技術】
【０００２】
従来、照明機器の制御方法として、照明装置に供給される電力の瞬断を検出して点灯状態を切り替えるスイッチを照明装置に設け、照明装置に供給される電力を瞬断することにより照明装置の点灯状態を切り替える方法がある（例えば、特許文献１参照）。
【先行技術文献】
【特許文献】
【０００３】
【特許文献１】特開平７−１４３５８１号公報
【発明の概要】
【発明が解決しようとする課題】
【０００４】
照明装置の操作方法として、ユーザが照明装置への電源供給の有無を切り替える壁スイッチを操作する方法や、ユーザが赤外線リモコン等の端末装置を操作し、照明装置がその端末装置から受信した制御信号に基づいて、照明装置自体が備えるスイッチを切り替える方法がある。また、壁スイッチにネットワークと通信可能な通信部を設け、ネットワークを介して、端末装置から壁スイッチを切り替える方法もある。このように、ユーザが操作可能な複数のスイッチが共存する場合に、特許文献１に開示されているような技術では、確実に照明装置の点灯状態の切替を制御することは困難である。
【０００５】
本発明は、上述の事情の下になされたもので、確実に照明装置の点灯状態の切替を制御することが可能な照明制御装置、照明制御システム、及び照明制御方法を提供することを目的とする。
【課題を解決するための手段】
【０００６】
上記目的を達成するため、本発明に係る照明制御装置は、
供給される電力の瞬断を検出した場合、又は、第１端末装置から切替信号を受信した場合に、開閉状態を切り替える照明側切替部を備える照明装置を制御する照明制御装置であって、
前記照明装置と、前記照明装置に電力を供給する電源とを接続する電源線上に設けられ、前記照明装置への電源供給の接点の開閉を切り替える制御側切替部と、
第２端末装置との間で通信を行う通信部と、
前記通信部が前記第２端末装置からオン信号を受け付けると、前記制御側切替部を、閉状態にした後、予め定められた瞬断時間が経過するまで開状態にし、その後閉状態にする制御部と、
を備えることを特徴とする。
【発明の効果】
【０００７】
本発明によれば、確実に照明装置の点灯状態の切替を制御できる。
【図面の簡単な説明】
【０００８】
【図１】実施形態１に係る照明制御システムの概略構成を示すブロック図である。
【図２】実施形態１に係る制御側切替部及び照明側切替部の動作の一例を示すタイムチャートである。
【図３】実施形態１に係るオン制御処理の流れの一例を示すフローチャートである。
【図４】実施形態２に係る照明制御システムの概略構成を示すブロック図である。
【図５】（ａ）は照明側切替部が閉状態において、オン信号を受け付けた場合、（ｂ）は照明側切替部が開状態において、オン信号を受け付けた場合の制御側切替部、電流センサ部、及び照明側切替部の動作の一例を示すタイムチャートである。
【図６】実施形態２に係るオン制御処理の流れの一例を示すフローチャートである。
【図７】実施形態４に係る照明制御システムの概略構成を示すブロック図である。
【図８】実施形態６に係る制御側切替部、電流センサ部、及び照明側切替部の動作の一例を示すタイムチャートである。
【図９】実施形態６に係るオフ制御処理の流れの一例を示すフローチャートである。
【発明を実施するための形態】
【０００９】
以下、本発明の実施形態を添付図面を参照しながら詳細に説明する。
【００１０】
（実施形態１）
図１は、本発明の実施形態に係る照明制御システム１の概略構成を示すブロック図である。本実施形態に係る照明制御システム１は、商用電源２から電力線を介して供給される電力を電源として動作する照明装置１０と、照明装置１０を制御する照明制御装置２０と、から構成されている。
【００１１】
照明装置１０は、例えば、天井や壁に設けられ、リモートコントローラ（リモコン）３からの制御信号、または照明制御装置２０によって制御される商用電源からの電力供給の有無に基づいて、点灯・消灯、すなわち、オン・オフする。
【００１２】
照明制御装置２０は、端末装置４と、インターネット等のネットワーク５を介して、無線または有線により通信可能に接続され、端末装置４からの制御信号に基づいて、照明装置１０のオン・オフを制御する。
【００１３】
次に、照明装置１０のハードウェア構成について説明する。図１に一例として示すように、照明装置１０は、負荷部１１と、照明側切替部１２と、瞬断検出部１３と、通信部１４と、制御部１５と、を備える。
【００１４】
負荷部１１は、ＬＥＤ（Light Emitting Diode）、蛍光灯、電球等、商用電源から供給される電力を用いて点灯する照明機器から構成される。
【００１５】
照明側切替部１２は、商用電源から負荷部１１へ供給される電力の電力線上に設けられる開閉可能なスイッチング素子であって、例えばリレーから構成される。照明側切替部１２は、制御部１５からの制御信号に応じて、開閉する。
【００１６】
瞬断検出部１３は、照明装置１０に供給される電力の瞬断を検出する。例えば、瞬断検出部１３は、照明装置１０に供給される電力を監視し、電力が供給されている状態から、予め定められた瞬断時間（例えば、数１００ミリ秒）の間、電力の供給が停止され、その後また電力が供給された場合に、電力の瞬断を検出する。
【００１７】
通信部１４は、リモコン３との間で赤外線通信が可能な通信インターフェースから構成される。通信部１４は、リモコン３から受信した信号を制御部１５に出力する。
【００１８】
制御部１５は、例えば、ＣＰＵ（Central Processing Unit）、ＲＯＭ（Read Only Memory）、ＲＡＭ（Random Access Memory）等から構成される。ＣＰＵは、ＲＡＭを作業領域として用いて、ＲＯＭに記憶される種々のプログラムを実行する。
【００１９】
本実施形態１において、制御部１５は、以下で説明するように、リモコン３からの切替信号（オン信号、または、オフ信号）を受信した場合、または、照明装置１０へ供給される電力の瞬断を検出した場合、照明側切替部１２の開閉状態を切り替える。
【００２０】
（ａ）リモコン３からの切替信号を受信した場合
制御部１５は、通信部１４がリモコン３からオン信号を受信したと判定すると、照明側切替部１２を閉状態、すなわち、照明装置１０をオンする。また、制御部１５は、通信部１４がリモコン３からオフ信号を受信したと判定すると、照明側切替部１２を開状態、すなわち、照明装置１０をオフする。なお、リモコン３により照明装置１０のオン・オフを制御する場合において、後述する照明制御装置２０の制御側切替部２１が閉状態になっているものとする。
【００２１】
（ｂ）照明装置１０へ供給される電力の瞬断を検出した場合
制御部１５は、瞬断検出部１３が電力の瞬断を検出した場合、照明側切替部１２を切り替える。すなわち、照明側切替部１２が開状態であるときに、電力の瞬断が検出されると、制御部１５は、照明側切替部１２を閉状態に切り替える。また、照明側切替部１２が閉状態であるときに、電力の瞬断が検出されると、制御部１５は、照明側切替部１２を開状態に切り替える。
【００２２】
次に、照明制御装置２０のハードウェア構成について説明する。図１に一例として示すように、照明制御装置２０は、制御側切替部２１と、通信部２２と、制御部２３と、を備える。
【００２３】
制御側切替部２１は、商用電源から照明装置１０へ供給される電力の電力線上に設けられる開閉可能なスイッチであって、例えばリレーから構成される。制御側切替部２１は、制御部２３からの制御信号に応じて、開閉する。
【００２４】
通信部２２は、ネットワーク５との間で無線または有線により通信が可能な通信インターフェースから構成され、端末装置４との間で通信を行う。通信部２２は、端末装置４から受信した信号を制御部２３に出力する。
【００２５】
制御部２３は、例えば、ＣＰＵ、ＲＯＭ、ＲＡＭ等から構成される。ＣＰＵは、ＲＡＭを作業領域として用いて、ＲＯＭに記憶される種々のプログラムを実行する。
【００２６】
制御部２３は、端末装置４からの制御信号に基づいて、制御側切替部２１の開閉を制御する。ここで、端末装置４からオン信号を受け付けた場合の制御側切替部２１の動作について図２を用いて説明する。図２に示すように、時刻ｔ１以前に制御側切替部２１及び照明側切替部１２がともに開状態であるとする。このとき、時刻ｔ１において、端末装置４からオン信号を受け付けると、制御部２３は、制御側切替部２１を閉状態に制御する。その後、時刻ｔ２において、制御部２３は、制御側切替部２１を閉状態から開状態に切り替える。時刻ｔ２から瞬断時間Ｔが経過した時刻ｔ３において、制御部２３は、制御側切替部２１を開状態から閉状態に切り替える。この動作により、照明装置１０の瞬断検出部１３は、時刻ｔ２から時刻ｔ３までにおける電力の瞬断を検出し、照明装置１０の制御部１５は照明側切替部１２を閉状態に制御する。従って、制御側切替部２１及び照明側切替部１２の両方が閉状態となるため、照明装置１０がオンされる。
【００２７】
次に、本実施形態における照明制御装置２０の動作について説明する。
【００２８】
まず、照明制御装置２０が実行するオン制御処理の流れについて説明する。図３は、照明制御装置２０が実行するオン制御処理の流れの一例を示すフローチャートである。図３に示すオン制御処理は、例えば、端末装置４から通信部２２を介してオン信号を受信したことを契機として開始される。
【００２９】
まず、制御部２３は、制御側切替部２１を閉状態になるように制御する（ステップＳ１１）。
【００３０】
次に、制御部２３は、第１時間が経過したか否かを判定する（ステップＳ１２）。制御部２３は、第１時間が経過するまで待機する（ステップＳ１２；Ｎｏ）。なお、この第１時間は、例えば、制御側切替部２１が閉状態になってから、制御側切替部２１に流れる電流が定常状態になるまでにかかる時間に応じて、予め設定されている。
【００３１】
第１時間が経過したと判定すると（ステップＳ１２；Ｙｅｓ）、制御部２３は、制御側切替部２１を開状態になるように制御する（ステップＳ１３）。
【００３２】
次に、制御部２３は、制御側切替部２１を開状態に切り替えてから瞬断時間が経過したか否かを判定する（ステップＳ１４）。制御部２３は、瞬断時間が経過するまで待機する（ステップＳ１４；Ｎｏ）。
【００３３】
瞬断時間が経過したと判定すると（ステップＳ１４；Ｙｅｓ）、制御部２３は、制御側切替部２１を閉状態になるように制御する（ステップＳ１５）。そして、本処理を終了する。
【００３４】
以上説明したように、本実施形態に係る照明制御装置２０は、リモコン３により、照明装置１０の照明側切替部１２が開状態になっていても、制御側切替部２１の開閉を切り替えて照明装置１０へ供給される電力を瞬断させることにより、照明側切替部１２を閉状態にし、照明装置１０をオンすることができる。
【００３５】
（実施形態２）
次に、本発明の実施形態２について説明する。本実施形態２では、照明制御装置２０が、さらに制御側切替部２１に流れる電流値に基づいて、制御側切替部２１の開閉を制御する例について説明する。なお、実施形態１と同様の構成については、同様の符号を用い、その詳細な説明を省略する。
【００３６】
図４は、本発明の実施形態２に係る照明制御システム１の概略構成を示すブロック図である。実施形態２に係る照明制御システム１は、図１に示す実施形態１に係る照明制御システム１の構成に加えて、さらに、照明制御装置２０が、電流センサ部２４を備える。
【００３７】
電流センサ部２４は、制御側切替部２１に流れる電流の電流値を取得する電流センサから構成される。電流センサ部２４は、計測した電流値を制御部２３に出力する。
【００３８】
制御部２３は、端末装置４からの制御信号と、電流センサ部により取得された電流値とに基づいて、制御側切替部２１の開閉を制御する。ここで、端末装置４からオン信号を受け付けた場合の制御側切替部２１の動作について図５（ａ）及び（ｂ）を用いて説明する。図５（ａ）は、照明側切替部１２が閉状態において、オン信号を受け付けた場合のタイムチャート、（ｂ）は、照明側切替部１２が開状態において、オン信号を受け付けた場合のタイムチャートである。図５（ａ）に示すように、時刻ｔ１以前に制御側切替部２１が開状態、照明側切替部１２が閉状態であるとする。このとき、時刻ｔ１において、端末装置４からオン信号を受け付けると、制御部２３は、制御側切替部２１を閉状態に制御する。その後、時刻ｔ２において、制御部２３は、電流センサ部２４により取得された電流値が閾値Ｔｈ以上であると判定する。この場合、制御部２３は、その後も閉状態を継続する。すなわち、制御部２３は、電流センサ部２４により取得された電流値が閾値Ｔｈ以上である場合には、照明装置１０がオンされていると判定し、制御側切替部２１の閉状態を継続する。
【００３９】
また、図５（ｂ）に示すように、時刻ｔ１以前に制御側切替部２１及び照明側切替部１２がともに開状態であるとする。このとき、時刻ｔ１において、端末装置４からオン信号を受け付けると、制御部２３は、制御側切替部２１を閉状態に制御する。その後、時刻ｔ２において、制御部２３は、電流センサ部２４により取得された電流値が閾値Ｔｈ未満であると判定すると、制御部２３は、制御側切替部２１を閉状態から開状態に切り替える。時刻ｔ２から瞬断時間Ｔが経過した時刻ｔ３において、制御部２３は、制御側切替部２１を開状態から閉状態に切り替える。この動作により、照明装置１０の瞬断検出部１３は、時刻ｔ２から時刻ｔ３までにおける電力の瞬断を検出し、照明装置１０の制御部１５は照明側切替部１２を閉状態に制御する。従って、制御側切替部２１及び照明側切替部１２の両方が閉状態となるため、照明装置１０がオンされる。すなわち、制御部２３は、電流センサ部２４により取得された電流値が閾値Ｔｈ未満である場合には、照明装置１０がオフされていると判定し、制御側切替部２１を開閉操作することにより電力の瞬断を行うことで、照明側切替部１２を切り替えて照明装置をオンする。
【００４０】
次に、実施形態２における照明制御装置２０の動作について説明する。
【００４１】
まず、照明制御装置２０が実行するオン制御処理の流れについて説明する。図６は、照明制御装置２０が実行するオン制御処理の流れの一例を示すフローチャートである。図６に示すオン制御処理は、例えば、端末装置４から通信部２２を介してオン信号を受信したことを契機として開始される。
【００４２】
まず、制御部２３は、ステップＳ２１及びＳ２２において、図３に示す実施形態１に係るオン制御処理のステップＳ１１及びＳ１２と同様の処理を実行する。
【００４３】
第１時間が経過したと判定すると（ステップＳ２２；Ｙｅｓ）、制御部２３は、電流センサ部２４から出力された電流値が閾値以上か否か判定する（ステップＳ２３）。
【００４４】
制御部２３は、電流センサ部２４から出力された電流値が閾値以上であると判定した場合（ステップＳ２３；Ｙｅｓ）、本処理を終了する。すなわち、制御側切替部２１は、閉状態を継続する。
【００４５】
制御部２３は、電流センサ部２４から出力された電流値が閾値以上でないと判定した場合（ステップＳ２３；Ｎｏ）、ステップＳ２４〜Ｓ２６において、図３に示すオン制御処理のステップＳ１３〜Ｓ１５と同様の処理を実行する。そして、本処理を終了する。
【００４６】
以上の構成により、本実施形態２においては、照明制御装置２０の電流センサ部２４により計測された制御側切替部２１に流れる電流の電流値に基づいて、電力の瞬断を行うか否かを判定するため、照明装置１０の照明側切替部１２の開閉状態に関わらず、確実に照明装置１０をオンすることができる。
【００４７】
（実施形態３）
上記の実施形態２において、制御部２３は、オン信号を受け付けて制御側切替部２１を閉状態に制御した後、電流センサ部２４により取得された電流値が閾値以上に変化した場合、通信部２２を介して、照明装置１０をオンした旨の通知を端末装置４に送信してもよい。また、制御部２３は、電流値が閾値以上に変化しなかった場合、照明装置１０をオンしなかった旨の通知を端末装置４に通知してもよい。さらに、制御部２３は、照明装置１０をオンしなかった旨を通知した場合、電力の瞬断を行った後に電流値が閾値以上に変化した場合、照明装置１０をオンしたことを端末装置４に通知してもよい。
【００４８】
（実施形態４）
上記の実施形態１から３の構成に加えて、図７に示すように、照明制御装置２０は、さらに、ＬＥＤ（Light Emitting Diode）や液晶パネル等、オン・オフ状態を表す表示部２５を備えてもよい。制御部２３は、オン信号を受け付けて制御側切替部２１を閉状態に制御した後、電流センサ部２４により取得された電流値が閾値以上に変化した場合、表示部２５に照明装置１０がオン状態である旨を表示してもよい。また、制御部２３は、電流値が閾値以上に変化しなかった場合、表示部２５に照明装置１０がオフ状態である旨を表示してもよい。
【００４９】
（実施形態５）
また、上記の実施形態１から４において、照明制御装置２０が端末装置４からオン信号を受け付けたときの動作について説明したが、上記の動作は、照明制御装置２０が端末装置４からオン信号を受け付けた時だけに限られない。例えば、端末装置４のユーザが、照明側切替部１２の開閉状態を知りたい場合に、端末装置４から状態要求信号を送信する。この場合、制御部２３は、制御側切替部２１を閉状態に制御した後、電流センサ部２４により取得された電流値が閾値以上の場合に、照明側切替部１２が閉状態である旨を表示部２５に表示する。また、制御部２３は、電流センサ部２４により取得された電流値が閾値未満の場合に、照明側切替部１２が開状態である旨を表示部２５に表示する。これにより、通常は、リモコン３により開閉が操作され、ユーザからはその開閉状態を認識できない照明側切替部１２の開閉状態を、認識することができる。
【００５０】
なお、制御部２３は、照明側切替部１２の開閉状態を表示部２５に表示する代わりに、または表示部２５への表示に加えて、端末装置４に通知してもよい。
【００５１】
（実施形態６）
また、上記の実施形態１から５において、照明制御装置２０が端末装置４からオン信号を受け付けたときの動作について説明したが、本実施形態６では、端末装置４からオフ信号を受信した場合に、照明装置１０をオフする動作について説明する。
【００５２】
端末装置４からオフ信号を受け付けた場合の制御側切替部２１の動作について、図８を用いて説明する。図８に示すように、時刻ｔ１以前に制御側切替部２１及び照明側切替部１２がともに閉状態であるとする。このとき、時刻ｔ１において、端末装置４からオフ信号を受け付けると、制御部２３は、制御側切替部２１を開状態に制御する。その後、時刻ｔ１から瞬断時間Ｔが経過した時刻ｔ２において、制御部２３は、制御側切替部２１を開状態から閉状態に切り替える。この動作により、照明装置１０の瞬断検出部１３は、時刻ｔ１から時刻ｔ２までにおける電力の瞬断を検出し、照明装置１０の制御部１５は照明側切替部１２を開状態に制御する。その後、制御部２３は、時刻ｔ３において、電流センサ部２４から取得された電流値が閾値Ｔｈ以下であると判定し、照明装置１０がオフになったと判定する。
【００５３】
また、制御部２３は、時刻ｔ３において、電流センサ部２４から取得された電流値が閾値Ｔｈ以下でない場合、電流センサ部２４から取得された電流値が閾値Ｔｈ以下になるまで、制御側切替部２１の開閉操作を繰り返す。以上の操作により、制御側切替部２１が閉状態、照明側切替部１２が開状態で、照明装置１０をオフする。
【００５４】
次に、実施形態６における照明制御装置２０の動作について説明する。
【００５５】
まず、照明制御装置２０が実行するオフ制御処理の流れについて説明する。図９は、照明制御装置２０が実行するオフ制御処理の流れの一例を示すフローチャートである。図９に示すオフ制御処理は、例えば、端末装置４から通信部２２を介してオフ信号を受信したことを契機として開始される。
【００５６】
まず、制御部２３は、制御側切替部２１を開状態になるように制御する（ステップＳ３１）。
【００５７】
次に、制御部２３は、瞬断時間が経過したか否かを判定する（ステップＳ３２）。制御部２３は、瞬断時間が経過するまで待機する（ステップＳ３２；Ｎｏ）。
【００５８】
瞬断時間が経過したと判定すると（ステップＳ３２；Ｙｅｓ）、制御部２３は、制御側切替部２１を閉状態になるように制御する（ステップＳ３３）。
【００５９】
次に、制御部２３は、電流センサ部２４から取得した電流値が閾値以下であるか否かを判定する（ステップＳ３４）。
【００６０】
電流センサ部２４から取得した電流値が閾値以下であると判定すると（ステップＳ３４；Ｙｅｓ）、本処理を終了する。
【００６１】
また、制御部２３は、電流センサ部２４から取得した電流値が閾値以下でないと判定した場合（ステップＳ３４；Ｎｏ）、ステップＳ３１に戻って処理を繰り返す。
【００６２】
以上の構成により、端末装置４からのオフ信号により照明装置１０をオフする場合、照明装置１０の照明側切替部１２を開状態、照明制御装置２０の制御側切替部２１を閉状態にした状態で照明装置１０をオフする。従って、端末装置４から照明装置１０がオフされた場合であっても、リモコン３を用いて照明装置１０をオンすることができる。
【００６３】
（実施形態７）
なお、上記の実施形態１から６において、照明装置１０をオンする際に、制御部２３は、制御側切替部２１の開閉制御を行いながら、電流センサ部２４から閉状態における電流値を取得し、閉状態における電流値が一定値以上になるまでの時間やその時の電流値を記憶してもよい。そして、制御部２３は、その記憶した値を利用して、閾値及び瞬断時間の少なくともいずれかを設定してもよい。
【００６４】
以上、本発明の実施形態について説明したが、本発明は実施形態によって限定されるものではない。
【００６５】
例えば、上記の実施形態１乃至６において、赤外線を用いて照明装置１０と通信するリモコン３により照明装置１０を制御可能な例について説明したが、これに限られず、リモコン３により制御されないダウンライト等の照明装置１０にも適用可能である。
【符号の説明】
【００６６】
１  照明制御システム、１０  照明装置、１１  負荷部、１２  照明側切替部、１３  瞬断検出部、１４  通信部、１５  制御部、２０  照明制御装置、２１  制御側切替部、２２  通信部、２３  制御部、２４  電流センサ部、２５  表示部、２  商用電源、３  リモコン、４  端末装置、５  ネットワーク
【図１】
2015225805.tif 000003
【図２】
2015225805.tif 000004
【図３】
2015225805.tif 000005
【図４】
2015225805.tif 000006
【図５】
2015225805.tif 000007
【図６】
2015225805.tif 000008
【図７】
2015225805.tif 000009
【図８】
2015225805.tif 000010
【図９】
2015225805.tif 000011